(57)【要約】【課題】  プロセッサとスコープの接続動作と電源入力操作とを、確実かつ効率的に行なう内視鏡システムを提供する。【解決手段】  突起部２６が位置決め穴３８に嵌合するように、コネクタ２２がコネクタ差込口に挿入されると、係合部２４が、ローラ５４を経て導入板５２に接する位置まで移動される。そして、スコープ着脱レバー３６が矢印Ａの示す方向に押し下げられると、これに連動して導入板５２は下側に移動し、係合部２４は、導入板５２に設けられたカム溝に係合しながら、切欠５０に沿ってコネクタ差込口の底面３４Ｂ側に移動する。コネクタ２２は、コネクタ差込口の底面３４Ｂに接する位置まで移動すると、底面３４Ｂに設けられた電源スイッチを押下する。さらに、コネクタ２２が電極４８と電気的に接続されることにより、プロセッサ３０が起動する。【選択図】        図３
2006181148.tif 000002
【特許請求の範囲】
【請求項１】
プロセッサと、前記プロセッサに着脱自在に取付けられるスコープとを含む内視鏡システムであって、
前記スコープが、前記プロセッサに取付けられるためのコネクタを有し、
前記プロセッサが、前記コネクタを取付けるための取付け部材と、前記取付け部材に設けられた電源スイッチと電極とを有し、
前記コネクタが前記取付け部材に取付けられることにより、前記コネクタと前記電極とが電気的に接続されるとともに、前記コネクタが前記電源スイッチを押下し、前記プロセッサに電力が供給されることを特徴とする内視鏡システム。
【請求項２】
前記プロセッサが、前記コネクタと前記電極とが電気的に接続されたか否かを判断する判断手段をさらに有することを特徴とする請求項１に記載の内視鏡システム。
【請求項３】
前記電極が、前記取付け部材の表面に設けられており、前記取付け部材の表面のうちで前記電極の周囲が絶縁されていることを特徴とする請求項２に記載の内視鏡システム。
【請求項４】
前記電極が、前記コネクタが接続されていない状態において前記取付け部材の表面から突出しており、前記コネクタが接続されると前記取付け部材の表面内に退避し、前記判断手段が、前記電極の退避によって前記コネクタと前記電極とが電気的に接続されたと判断することを特徴とする請求項２に記載の内視鏡システム。
【請求項５】
前記取付け部材が、前記取付け部材に設けられた凹部の底面側に前記コネクタの先端部を移動させるためのレバーを含むことを特徴とする請求項１に記載の内視鏡システム。
【請求項６】
プロセッサに取付けられるためのコネクタを有するスコープであって、
前記コネクタを取付けるための取付け部材に設けられた電源スイッチと電極とを有するプロセッサに前記コネクタが取付けられることにより、前記コネクタと前記電極とが電気的に接続されるとともに、前記コネクタが前記電源スイッチを押下し、前記プロセッサに電力を供給させることを特徴とするスコープ。
【請求項７】
スコープが有するコネクタを取付けるための取付け部材と、前記取付け部材に設けられた電源スイッチと電極とを有するプロセッサであって、
前記コネクタが前記取付け部材に取付けられることにより、前記コネクタと前記電極とが電気的に接続されるとともに、前記コネクタが前記電源スイッチを押下し、電力が供給されることを特徴とするプロセッサ。
【発明の詳細な説明】
【技術分野】
【０００１】
本発明は、内視鏡システムに関し、特に、プロセッサとスコープの接続動作と電源入力操作とを、確実かつ効率的に行なう内視鏡システムに関する。
【背景技術】
【０００２】
内視鏡装置は、一般に、画像データ処理等を行なうプロセッサと、被写体に光を導光するライトガイド等を備えたスコープとで構成される。そして、プロセッサとスコープとは着脱自在であり、使用時には、プロセッサとスコープとの接続動作の後に電源スイッチをオンにして内視鏡装置を起動する。
【発明の開示】
【発明が解決しようとする課題】
【０００３】
内視鏡装置が使用される場合、スコープがプロセッサに取付けられた後に、プロセッサに設けられた電源スイッチをオンにする。このように内視鏡装置の使用を開始するためには、いくつかの操作が必要とされる。また、誤った操作によりプロセッサとスコープとが接続されていなかった場合においても、接続されていないことが検知できずにプロセッサの電源をオンにしてしまう場合があり、被写体観察の開始が遅れてしまう。
【０００４】
本発明は、プロセッサとスコープの接続動作と電源入力操作とを、確実かつ効率的に行なう内視鏡システムを提供することを目的とする。
【課題を解決するための手段】
【０００５】
本発明の内視鏡装置システムは、プロセッサと、プロセッサに着脱自在に取付けられるスコープとを含む内視鏡システムであって、スコープは、プロセッサに取付けられるためのコネクタを有し、プロセッサは、コネクタを取付けるための取付け部材と、取付け部材に設けられた電源スイッチと電極とを有する。そして、コネクタが取付け部材に取付けられることにより、コネクタと電極とが電気的に接続されるとともに、コネクタが電源スイッチを押下し、プロセッサに電力が供給されることを特徴とする。
【０００６】
プロセッサは、コネクタと電極とが電気的に接続されたか否かを判断する判断手段をさらに有することが好ましい。この場合において、例えば、例えば、電極が、取付け部材の表面に設けられており、取付け部材の表面のうちで電極の周囲が絶縁されている。また、電極が、コネクタが接続されていない状態において取付け部材の表面から突出しており、コネクタが接続されると取付け部材の表面内に退避し、判断手段が、電極の退避によってコネクタと電極とが電気的に接続されたと判断する。
【０００７】
取付け部材は、取付け部材に設けられた凹部の底面側にコネクタの先端部を移動させるためのレバーを含むことが望ましい。
【０００８】
本発明のスコープは、プロセッサに取付けられるためのコネクタを有する。そして、スコープは、コネクタを取付けるための取付け部材と、取付け部材に設けられた電源スイッチと電極とを有するプロセッサにコネクタが取付けられることにより、コネクタと電極とが電気的に接続されるとともに、コネクタが電源スイッチを押下し、プロセッサに電力を供給させることを特徴とする。
【０００９】
本発明のプロセッサは、スコープが有するコネクタを取付けるための取付け部材と、取付け部材に設けられた電源スイッチと電極とを有する。そして、プロセッサは、コネクタが取付け部材に取付けられることにより、コネクタと電極とが電気的に接続されるとともに、コネクタが電源スイッチを押下して、電力が供給されることを特徴とする。
【発明の効果】
【００１０】
本発明によれば、プロセッサとスコープの接続動作と電源入力操作とを、確実かつ効率的に行なう内視鏡システムを実現できる。
【発明を実施するための最良の形態】
【００１１】
以下、本発明の実施形態を、図面を参照して説明する。図１は、第１の実施形態における電子内視鏡装置を概略的に示す斜視図である。
【００１２】
電子内視鏡装置１０は、被写体である患者の体腔内の撮影に用いられるスコープ２０と、スコープ２０から送られてくる画像信号を処理するプロセッサ３０を備える。スコープ２０にはコネクタ２２が設けられ、プロセッサ３０にはスコープ取付け部材３２が設けられている。そして、コネクタ２２が、スコープ取付け部材３２に設けられた凹部であるコネクタ差込口３４に差込まれることにより、スコープ２０は、プロセッサ３０に着脱自在に取付けられる。
【００１３】
図２は、本実施形態におけるスコープ取付け部材３２を示す正面図である。
【００１４】
コネクタ差込口３４には、コネクタ２２を所定の位置に取付けるための２つの同じ取付け機構４４が設けられている。また、スコープ取付け部材３２にはスコープ着脱レバー３６が設けられている。コネクタ２２は、コネクタ差込口３４の所定の位置まで挿入された後に、スコープ着脱レバー３６が矢印Ａの示す方向に押し下げられることにより、先端部（図示せず）がコネクタ差込口３４の底面３４Ｂに接するまで挿入される。底面３４Ｂには、コネクタ２２に設けられた接点ピン（図示せず）が挿入される複数の挿入口４２とともに、プロセッサ３０の電源スイッチ４０が設けられている。電源スイッチ４０は、ボタン式のスイッチであり、コネクタ２２の先端部によって押下されるとオンになる。なお、コネクタ差込口３４の上方には、コネクタ２２を所定の位置に挿入させるための位置決め穴３８が設けられている。また、スコープ取付け部材３２の下側には、ライトガイド（図示せず）が差込まれるライトガイド差込口４６が設けられている。
【００１５】
図３は、スコープ着脱レバー３６が操作されていない状態のスコープ取付け部材３２と、コネクタ２２とを示す斜視図である。図４は、コネクタ差込口３４の内側から見た、取付け機構４４の一部である導入板に設けられたカム溝を示す図である。図５は、スコープ着脱レバー３６が押し下げられた状態のスコープ取付け部材３２を示す斜視図である。
【００１６】
コネクタ差込口３４の内壁面３４Ｓには、２つの直線状の切欠５０が設けられている。そして、切欠５０の外側に取付け機構４４が設けられている。取付け機構４４には、スコープ着脱レバー３６が矢印Ａの示す方向に押し下げられると、これに連動して下側に動く導入板５２と、係合部２４を導入板５２のカム溝に移動させるローラ５４が含まれる。取付け機構４４は、以下のように、切欠５０を介してコネクタ２２の側面に設けられた係合部２４を固定しつつ、係合部２４を移動させる。この結果、コネクタ２２は、接点ピン２８の外周にあるコネクタ先端部２９がコネクタ差込口３４の底面３４Ｂに接する取付け位置まで移動される。
【００１７】
まず、図３に示すようにスコープ着脱レバー３６が操作されていない状態で、突起部２６が位置決め穴３８に嵌合するようにコネクタ２２がコネクタ差込口３４に挿入され、係合部２４が、ローラ５４を経て導入板５２に接する位置まで移動される。このとき、係合部２４は、導入板５２のカム溝５６の端部に位置している（図４参照）。そして、スコープ着脱レバー３６が矢印Ａの示す方向に押し下げられると、これに連動して導入板５２は矢印Ｂの示すように下側に移動する。導入板５２が移動するのに対し、コネクタ差込口３４の内壁面３４Ｓは固定されているため、係合部２４は、矢印Ｃの示すように、カム溝５６に係合しながら切欠５０に沿ってコネクタ差込口３４の底面３４Ｂ側に移動する。すなわち、このスコープ着脱レバー３６の操作に伴う導入板５２の移動により、カム溝５６は、切欠５０においてコネクタ差込口３４の底面３４Ｂ側に移動する（図５参照）。
【００１８】
コネクタ差込口３４の側面３４Ｓには、コネクタ２２との電気的な接続のための電極４８が設けられている。そして、コネクタ２２が取付け位置まで移動すると、コネクタ先端部２９が電源スイッチ４０を押圧するとともに、コネクタ２２は電極４８と電気的に接続される。このように、電源スイッチ４０が押下され、なおかつコネクタ２２と電極４８が接続されると、プロセッサ３０に電力が供給され、プロセッサ３０は起動する。コネクタ２２と電極４８との接続は、プロセッサ３０に設けられたＣＰＵ（図示せず）が、スコープ２０からコネクタ２２、および電極４８を介して送信される電気信号を受信することにより、検知される。このように、電極４８に対するコネクタ２２の接続を検知し、さらに起動後に電極４８を介してプロセッサ３０とスコープ２０との間で信号を授受するために、コネクタ差込口３４の側面３４Ｓのうち、電極４８を含まない領域は絶縁されている。
【００１９】
電源スイッチ４０が押下されたことを示す信号がＣＰＵに送信されたにも関わらず、コネクタ２２と電極４８とが電気的に接続されていない場合、コネクタ２２ではなく、異物等によって電源スイッチ４０が押下されているといった何らかの異常が生じている。この場合、ＣＰＵがプロセッサ３０を起動させないことから、誤作動を防止できるとともに、スコープ２０がプロセッサ３０に正しく取付けられていないことがユーザにより容易に検知される。
【００２０】
図６は、スコープ２０のプロセッサ３０への取付けによるプロセッサ３０の起動ルーチンを示すフローチャートである。
【００２１】
コネクタ２２が、コネクタ差込口３４に挿入されると、起動ルーチンが開始する。ステップＳ１では、電源スイッチ４０がコネクタ先端部２９により押下されているか否かが判断され、電源スイッチ４０が押下されていると判断されると、ステップＳ２に進む。ステップＳ２では、電極４８がコネクタ２２と導通したか否か、すなわち電気的に接続されたか否かが判断される。電極４８がコネクタ２２と電気的に接続されていると判断された場合、ステップＳ３に進み、電極４８がコネクタ２２と電気的に接続されていないと判断された場合、ステップＳ１に戻る。ステップＳ３では、プロセッサ３０の電源がオンになり、プロセッサ３０の起動ルーチンが終了する。
【００２２】
以上のように、本実施形態によれば、コネクタ２２をスコープ取付け部材３２に取付けると自動的にプロセッサ３０が起動するため、プロセッサ３０とスコープ２０の接続動作と電源入力操作とを迅速に行なう内視鏡システムを実現できる。さらに、コネクタ２２と電極４８との接続を確認した上でプロセッサ３０を起動させるため、誤った動作による起動を防止することが可能である。
【００２３】
図７は、第２の実施形態におけるスコープ取付け部材３２とコネクタ２２を示す、一部を断面とした側面図である。図８は、コネクタ２２が取付けられた状態のスコープ取付け部材３２を示す、一部を断面とした側面図である。
【００２４】
第２の実施形態においては、電極４８のみが、第１の実施形態と異なっている。すなわち、第１の実施形態においては、電極４８はコネクタ差込口３４の内壁面３４Ｓに沿って設けられていたのに対し、本実施形態においては、コネクタ２２が取付けられていないときには、電極４８は、コネクタ差込口３４の内壁面から突出しており、コネクタ２２がコネクタ差込口３４に挿入されるとコネクタ差込口３４の内壁面３４Ｓ内に退避する（図８参照）。そして、この電極４８の退避により、コネクタ２２と電極４８との接続を伝える電気信号がＣＰＵに送信される。
【００２５】
以上のように、本実施形態においては、コネクタ２２との接続により退避可能な電極４８を用いることにより、コネクタ差込口３４の内壁面３４Ｓにおける絶縁処理は不要となる。
【図面の簡単な説明】
【００２６】
【図１】第１の実施形態における電子内視鏡装置を概略的に示す斜視図である。
【図２】第１の実施形態におけるスコープ取付け部材を示す正面図である。
【図３】第１の実施形態における、スコープ着脱レバーが操作されていない状態のスコープ取付け部材と、コネクタとを示す斜視図である。
【図４】第１の実施形態における、導入板に設けられたカム溝を示す図である。
【図５】第１の実施形態における、スコープ着脱レバーが押し下げられた状態のスコープ取付け部材を示す斜視図である。
【図６】第１の実施形態におけるプロセッサの起動ルーチンを示すフローチャートである。
【図７】第２の実施形態における、スコープ取付け部材とコネクタを示す側面図である。
【図８】第２の実施形態における、コネクタが取付けられた状態のスコープ取付け部材を示す側面図である。
【符号の説明】
【００２７】
１０  電子内視鏡装置
２０  スコープ
２２  コネクタ
３０  プロセッサ
３２  スコープ取付け部材（取付け部材）
３４  コネクタ差込口（凹部）
３６  スコープ着脱レバー（レバー）
４０  電源スイッチ
４８  電極
【図１】
2006181148.tif 000003
【図２】
2006181148.tif 000004
【図３】
2006181148.tif 000005
【図４】
2006181148.tif 000006
【図５】
2006181148.tif 000007
【図６】
2006181148.tif 000008
【図７】
2006181148.tif 000009
【図８】
2006181148.tif 000010